(57)【要約】【課題】同形の菓子類を上下に多数陳列しかつ販売するのに便利な販促什器に関する。【解決手段】全体を透明な硬質合成樹脂で構成され、長方形の基台2と、この基台2の下部に形成されて前方に傾斜しかつ両側壁3,3と受け部4とからなる取り出し部5の近辺において前記側壁3,3から切り欠き6,6で切り離されて弾性部分9,9を構成する面壁7,7とからなる収納容器1単位とし、これを1単位又は前後方向又は上下にずらして固定した2単位で構成した販促什器。【選択図】        図1
0003174384.tif 000002
【実用新案登録請求の範囲】
【請求項１】
全体を透明な硬質合成樹脂で構成され、長方形の基台と、この基台の下部に形成されて前方に傾斜し両側片と受け部からなる取り出し部と、前記基台の両側に構成される側壁と、これら側壁の頂縁から相対して形成され前記取り出し部の近辺において前記側壁から切り欠きで切り離されて弾性部分を構成する面壁とからなる収容容器であって、かつこの収容容器の前記基台の背面部に固定物への引っ掛け部材を構成してなる販促什器。
【請求項２】
全体を透明な硬質合成樹脂で構成され、長方形の基台と、この基台の下部に形成されて前方に傾斜し両側片と受け部からなる取り出し部と、前記基台の両側に構成される側壁と、これら側壁の頂縁から相対して形成され前記取り出し部の近辺において前記側壁から切り欠きで切り離されて弾性部分を構成する面壁とからなる収容容器を1単位として、2単位を前後方向で上下にずらして固定し、かつこれら収容容器のうちの下面側の収容容器の基台の背面部に固定物への引っ掛け部材を構成してなる販促容器。
【請求項３】
前記収納容器を2単位を前後方向で上下にずらして固定するに当たって各単位を側面部でヒンジ止め部部分を構成してなる請求項2に記載の販促什器。
【請求項４】
前記基台と両側壁と面壁とからなる内部空間に多数積み重なって収容される菓子類が前記取り出し部から１個ずつ取り出せるようにした請求項1又は2に記載の販促什器。
【請求項５】
2単位から構成される収容容器のそれぞれの内部空間に収容される菓子類が、同形の他種類の菓子類である請求項2に記載の販促什器。
【考案の詳細な説明】
【技術分野】
【０００１】
本考案は、小型の同形の例えばキャンデイのような菓子類の小型包装物等を上下方向に多数陳列しかつ販売するのに便利な販促什器に関するものである。
【背景技術】
【０００２】
従来は、販売店などでは菓子類の小型包装物を横型に並べて陳列・販売することが一般に利用されているが、場所が必要であり、また使い勝手が悪いなどで不便なことが多かった。
【特許文献１】特開２００９−２８０２２４
【考案の開示】
【考案が解決しようとする課題】
【０００３】
本考案はこの種物品の陳列・販売に当たって多数の菓子類を並べて配置する場合と異なり、場所をとらず、また見た目にも新鮮でかつ取出しが容易な配置を達成した販促什器を提案するものである。
【課題を解決するための手段】
【０００４】
請求項1に記載の販促什器によれば、全体を透明な硬質合成樹脂で形成され、長方形の基台と、この基台の下部に形成されて前方に傾斜し両側片と受け部からなる取り出し部と、前記基台の両側に構成される側壁と、それら側壁の頂縁から相対して形成され前記取り出し部の近辺において前記側壁から切り離されて弾性部分を構成する面壁とからなる収容容器である。
【０００５】
請求項2に記載の販促什器によれば、全体を透明な硬質合成樹脂で形成され、長方形の基台と、この基台の下部に形成されて前方に傾斜し両側片と受け部とからなる取り出し部と、前記基台の両側に構成される側壁と、これら側壁の頂縁から相対して形成され前記取り出し部の近辺において前記側壁から切り離されて弾性部分を構成する面壁とからなる収容部分を1単位として、2単位を前後方向で上下にずらして固定し、かつこれら収容容器のうちの下部側の収容容器の基台の平面部に固定部欝への引っ掛け部材を構成してなる販促什器。
【０００６】
請求項3によれば前記収納容器の2単位を前後方向で上下にずらして固定するに当たって各単位を側面部でヒンジ止め部分を構成してなる。
【０００７】
請求項4によれば、請求項1又は2に記載の販促什器において、前記基台と両側壁と両面壁とからなる内部空間に多数積み重なって収容される菓子類が同形の他種類の菓子類である。
【０００８】
請求項5によれば、請求項2に記載の販促什器2において、2単位から構成される収容容器のそればれの内部空間に収容される菓子類が、同形の他種類の菓子類である。
【考案の効果】
【０００９】
本考案は、同形の菓子類を多数並べて陳列・販売する目的に則して、場所を取らずにしかも取り扱い容易な構造を提案し、販売業者及び需要者の双方にとって有効な販促什器を提供しうるものである。
【考案を実施するための最良の形態】
【００１０】
添付図面中、図1は本考案の販促什器の1単位の収容容器の斜視図、図2は収容容器を2単位で構成した斜視図、図3は2単位の収納容器の内、前位の収納容器をヒンジ止めの状態で前方に傾けて形成した状謡の斜視図で、図4は引っ掛け部分の一例の側面図である。
【００１１】
図1は全体の斜視図であって、先ず収容容器1の1単位について記述する。なお、後述する図2に示す２単位の構成において各部分については同一の符号を付することとする。
【００１２】
本考案の一部分を構成する収容容器1は、全体を透明な硬質合成樹脂で構成している。その主要部分は長方形の基台２と、この基台2の下部に形成されて前方に傾斜しかつ両側片3,3と受け部4からなる取り出し部5と、前記基台2の両側に構成される側壁6,6と、これら側壁6,6の頂縁から相対して形成される面壁7,7の下側半分くらいで側壁6,6との間に切り欠き8,8が設けられ、これによって前記取り出し部5の近辺において前記面壁7,7には弾性部分9,9が形成される。
【００１３】
前記基台2と両側壁6,6と面壁7,7とで、菓子類10を上から順次投入する内部空間11が構成されており、下端部の菓子類10の取り出しに当たっては前記弾性部分9,9がこれを容易にする効果が得られる。
【００１４】
これら1単位を構成する収容容器1，1を、前後方向で上下にずらして固着したのが図2の全体図である。この場合、本考案の販促什器を陳列又は展示のために図4に示すような引っ掛け部分12を設けるが、その態様については目的に応じて多種類のものが採用される。
【００１５】
上記2単位で構成される態様で各単位の収容容器を固定するに当たっては、各収容容器１、１の一方の側面部において、ヒンジ止め部分13を設けるようにすると、背面部の収納容器内に菓子類10を投入することが容易になるという効果が得られる。
【００１６】
実用に当たっては、収容容器1の内部に構成される基台2、両側壁6,6及び面壁7，7によって形成される前記内部空間11内に多数の同形の物品例えば菓子類10を上方から順次収容するのであるが、下方に形成される取り出し部５においては、前記面壁7,7の一部分である弾性部分9,9の存在によって、菓子類10の取出しが容易である。
【００１７】
前記収容容器1の内部に収容される菓子類10については、各単位ごとに収容すべき菓子類に、他の種類のものを採用することによって、販促什器の多用性を確保できるものである。
【００１８】
なお、本考案の販促什器は全体を透明な硬質合成樹脂で構成しているため、菓子類10の存在を外から眺めることにより、需要者の購買意欲を促進することができるという効果が得られるものである。
【図面の簡単な説明】
【００１９】
【図１】本考案の販促什器１単位の収容容器の斜視図である。
【図２】本考案の販促什器の２単位で構成した斜視図である。
【図３】2単位の収容容器の内、前位の収容容器のヒンジ止めの状態で前方に傾けて形成した斜視図である。
【図４】引っ掛け部分の一例を示す拡大正面図である。
【符号の説明】
【００２０】
１        収容容器
２        基台
３，３    側片
４        受け部          
５        取り出し部
６，６    側壁
７，７    面壁
８，８    切り欠き
９，９    弾性部分
１０      菓子類（物品）
１１      内部空間
１２      引っ掛け部分
１３      ヒンジ止め部分
【図１】
0003174384.tif 000003
【図２】
0003174384.tif 000004
【図３】
0003174384.tif 000005
【図４】
0003174384.tif 000006